(57)【要約】【課題】手持ち投影の場合と載置投影の場合のそれぞれで投射ユニットを適切に制御するプロジェクタ付きカメラを提供する。【解決手段】プロジェクタ付きカメラ１０は、光学像を投影する投射ユニット６０と、投射ユニット６０に対し、手持ち投影用の制御と載置投影用の制御とを切替える制御手段１０１とを備える。【選択図】図３
2008252480.tif 000002
【特許請求の範囲】
【請求項１】
光学像を投影する投射ユニットと、
前記投射ユニットに対し、手持ち投影用の制御と載置投影用の制御とを切替える制御手段とを備えることを特徴とするプロジェクタ付きカメラ。
【請求項２】
請求項１に記載のプロジェクタ付きカメラにおいて、
前記制御手段は、前記投影を禁止する制御、前記手持ち投影用の制御、および前記載置投影用の制御のうち、いずれか１つの制御に切替えることを特徴とするプロジェクタ付きカメラ。
【請求項３】
請求項１に記載のプロジェクタ付きカメラにおいて、
前記制御手段は、前記投射ユニットに対し、手持ち投影用の制御パラメータおよび載置投影用の制御パラメータのいずれか一方を設定することを特徴とするプロジェクタ付きカメラ。
【請求項４】
請求項３に記載のプロジェクタ付きカメラにおいて、
前記手持ち投影用の制御パラメータは、自動投影振れ補正オン、および自動投影キャリブレーションオフの少なくとも１つを含むことを特徴とするプロジェクタ付きカメラ。
【請求項５】
請求項４に記載のプロジェクタ付きカメラにおいて、
前記制御手段はさらに、モニタ表示オフ、遠隔操作受付オフ、および撮影モードへのショートカット操作受付オンの少なくとも１つを行うことを特徴とするプロジェクタ付きカメラ。
【請求項６】
請求項３に記載のプロジェクタ付きカメラにおいて、
前記載置投影用の制御パラメータは、自動投影振れ補正オフ、および自動投影キャリブレーションオンの少なくとも１つを含むことを特徴とするプロジェクタ付きカメラ。
【請求項７】
請求項６に記載のプロジェクタ付きカメラにおいて、
前記制御手段はさらに、モニタ表示オン、遠隔操作受付オン、および撮影モードへのショートカット操作受付オフの少なくとも１つを行うことを特徴とするプロジェクタ付きカメラ。
【発明の詳細な説明】
【技術分野】
【０００１】
本発明は、プロジェクタ付きカメラに関する。
【背景技術】
【０００２】
手持ち投影を行うプロジェクタシステムが知られている（特許文献１参照）。プロジェクタ装置は、該プロジェクタ装置が支持装置に装着された場合は支持装置から送られる操作信号を受け付け、支持装置に装着されていない場合にはプロジェクタ装置自身の操作部材から送られる操作信号を受け付ける。
【０００３】
【特許文献１】特開２００６−９１３６６号公報
【発明の開示】
【発明が解決しようとする課題】
【０００４】
従来技術では、受け付ける操作信号の送信元を切替えるだけであるため、手持ち投影時には手持ち投影用の設定操作が必要であり、支持装置上の投影時には載置投影用の設定操作が必要であった。
【課題を解決するための手段】
【０００５】
（１）本発明によるプロジェクタ付きカメラは、光学像を投影する投射ユニットと、投射ユニットに対し、手持ち投影用の制御と載置投影用の制御とを切替える制御手段とを備えることを特徴とする。
（２）請求項１に記載のプロジェクタ付きカメラにおいて、制御手段は、投影を禁止する制御、手持ち投影用の制御、および載置投影用の制御のうち、いずれか１つの制御に切替えるのが好ましい。
（３）請求項１に記載のプロジェクタ付きカメラにおいて、制御手段は、投射ユニットに対し、手持ち投影用の制御パラメータおよび載置投影用の制御パラメータのいずれか一方を設定するのが好ましい。
（４）請求項３に記載のプロジェクタ付きカメラにおいて、手持ち投影用の制御パラメータは、自動投影振れ補正オン、および自動投影キャリブレーションオフの少なくとも１つを含むのが好ましい。
（５）請求項４に記載のプロジェクタ付きカメラにおいて、制御手段はさらに、モニタ表示オフ、遠隔操作受付オフ、および撮影モードへのショートカット操作受付オンの少なくとも１つを行うのが好ましい。
（６）請求項３に記載のプロジェクタ付きカメラにおいて、載置投影用の制御パラメータは、自動投影振れ補正オフ、および自動投影キャリブレーションオンの少なくとも１つを含むのが好ましい。
（７）請求項６に記載のプロジェクタ付きカメラにおいて、制御手段はさらに、モニタ表示オン、遠隔操作受付オン、および撮影モードへのショートカット操作受付オフの少なくとも１つを行うのが好ましい。
【発明の効果】
【０００６】
本発明によるプロジェクタ付きカメラでは、手持ち投影の場合と載置投影の場合のそれぞれで投射ユニットを適切に制御できる。
【発明を実施するための最良の形態】
【０００７】
以下、図面を参照して本発明を実施するための最良の形態について説明する。
≪電子カメラ≫
図１は、本発明の一実施の形態によるプロジェクタ付き電子カメラの正面図である。図１において、電子カメラ１０の前面には、撮影レンズ７１と、投影レンズ６１と、レーザ光源部１３と、フラッシュ光源部２１とが配設されている。電子カメラ１０の上面には、ズームスイッチ１１と、レリーズボタン１２と、プロジェクタボタン１４とが配設されている。レリーズボタン１２は、電子カメラ１０に撮影を指示するための操作部材である。ズームスイッチ１１は、電子カメラ１０にズームダウンまたはズームアップを指示するための操作部材である。プロジェクタボタン１４は、電子カメラ１０に投射を指示するための操作部材である。
【０００８】
図２は、図１の電子カメラの背面図である。図２において、電子カメラ１０の背面には、表示モニタ１０８と、切替ボタン１５と、モードボタン１６と、メニューボタン１７と、削除ボタン１８と、ＯＫボタン２０およびダイヤル１９とが設けられている。リング状に構成されたダイヤル１９は、回転操作に応じた回転操作信号と、押下操作に応じた押下位置信号とを発生する。ＯＫボタン２０の配設位置はダイヤル１９の中央部である。ダイヤル１９およびＯＫボタン２０は、電子カメラ１０に各種設定を指示するための操作部材である。
【０００９】
切替ボタン１５は、撮影を行う撮影モードと、撮影画像の再生表示を行う再生モードとの切替を電子カメラ１０に指示するための操作部材である。モードボタン１６は、メニューが並んだモード選択画面を液晶モニタ１０８に表示させるための操作部材である。メニューボタン１７は、メニュー選択画面を液晶モニタ１０８に表示させるための操作部材である。削除ボタン１８は、電子カメラ１０に画像ファイルの削除を指示するための操作部材である。
【００１０】
電子カメラ１０は、クレードル５０上に載置された状態でも使用可能である。電子カメラ１０は、クレードル５０との間で所定の通信を行う他、クレードル５０から電源供給を受けることも可能に構成されている。電子カメラ１０は、クレードル５０から供給された電流で電子カメラ１０内のバッテリー１０３（図３において後述）を充電したり、クレードル５０から供給された電流で電子カメラ１０を動作させたりする。
【００１１】
図３は、図１の電子カメラ１０の回路構成を説明するブロック図である。図３において、電子カメラ１０は、ＣＰＵ１０１と、メモリ１０２と、マイク１０５と、外部インターフェイス回路１０６と、電源回路１０７と、表示モニタ１０８と、操作部材１０９と、スピーカー１１０と、レーザ光源部１３と、プロジェクタモジュール６０と、カメラモジュール７０とを備え、着脱自在のバッテリー１０３およびメモリカード１０４が実装されている。プロジェクタモジュール６０およびカメラモジュール７０は、図１に示すように、投影光学系（投影レンズ６１）の開口と撮影光学系（撮影レンズ７１）の開口とが共通の面に配設されている。
【００１２】
ＣＰＵ１０１は、制御プログラムに基づいて、電子カメラ１０を構成する各部から入力される信号を用いて所定の演算を行うなどして、電子カメラ１０の各部に対する制御信号を送出することにより、カメラ動作およびプロジェクタ動作をそれぞれ制御する。なお、制御プログラムはＣＰＵ１０１内の不図示の不揮発性メモリに格納されている。ＣＰＵ１０１はさらに、プロジェクタモジュール６０が投影する画像のデータに対する台形歪み補正（キーストン補正）を画像処理によって行う。
【００１３】
メモリ１０２はＣＰＵ１０１の作業用メモリとして使用される。メモリカード１０４は不揮発性メモリによって構成され、ＣＰＵ１０１の指示により、たとえば、カメラモジュール７０より出力される画像データや、外部インターフェイス回路１０６を介して外部から入力される映像・音声データなどのデータの書き込み、保存および読み出しが可能である。
【００１４】
マイク１０５は、集音した音声を電気信号に変換してＣＰＵ１０１へ送出する。音声信号は、録音時にメモリカード１０４に記録される。外部インターフェイス回路１０６は、ＣＰＵ１０１の指示により後述するクレードル、もしくはクレードルに接続されている外部機器との間でデータを送受信する。送受信するデータは、映像・音声データや、電子カメラ１０に対する制御信号である。外部インターフェイス回路１０６には、電源ラインも含まれている。
【００１５】
スピーカー１１０は、ＣＰＵ１０１から出力された音声信号による音声を再生する。操作部材１０９は、上述した操作ボタンなどを含み、各操作ボタンに対応する操作信号をＣＰＵ１０１へ送出する。
【００１６】
バッテリー１０３は充電可能な二次電池によって構成される。電源回路１０７はＤＣ／ＤＣ変換回路、充電回路、および電圧検出回路を含み、バッテリー１０３の電圧を電子カメラ１０内の各部で必要な電圧に変換する。電源回路１０７はさらに、バッテリー１０３の電圧が低く、残容量が低下している場合には外部インターフェイス回路１０６を介して供給される充電用電流でバッテリー１０３を充電する。
【００１７】
表示モニタ１０８は液晶表示パネルを有し、ＣＰＵ１０１の指示により画像やテキストなどの情報を表示する。レーザ光源部１３は、ＣＰＵ１０１からの指示に応じて、たとえば赤色の可視光線を電子カメラ１０の前方へ発する。レーザ光線部１３は光学系１３Ａおよび光学系１３Ａを光軸に対して直交する方向へ進退移動させる駆動機構（不図示）を有している。この駆動機構がＣＰＵ１０１からの指示によって光学系１３Ａを駆動することにより、レーザ光線部１３からの射出光がプロジェクタモジュール６０による投射範囲内のいずれの位置へも届く。すなわち、レーザ光線部１３はレーザポインタとして機能する。
【００１８】
フラッシュ光源部２１は、撮影モード時にＣＰＵ１０１からの指示に応じて所定光量の光を発する。また、後述するプロジェクタモジュール６０を使用の際にもＣＰＵ１０１からの指示に応じて所定光量の光を発する。振れセンサ１１１は、たとえばジャイロセンサによって構成される。振れセンサ１１１は、電子カメラ１０の振れを検出し、検出信号をＣＰＵ１０１へ送出する。
【００１９】
（カメラモジュール）
カメラモジュール７０は、撮影レンズ（撮影光学系）７１と、イメージセンサ７２と、レンズ駆動回路７３と、撮影制御回路７４とを含む。イメージセンサ７２としては、ＣＣＤやＣＭＯＳ撮像素子などが用いられる。撮影制御回路７４は、ＣＰＵ１０１からの指示によりイメージセンサ７２およびレンズ駆動回路７３を駆動制御するとともに、イメージセンサ７２から出力される撮像信号（蓄積電荷信号）に対して所定の画像処理を行う。画像処理は、ホワイトバランス処理やガンマ処理などである。
【００２０】
撮影レンズ７１は、イメージセンサ７２の撮像面上に被写体像を結像させる。撮影制御回路７４は、撮影開始指示に応じてイメージセンサ７２に撮像を開始させ、撮像終了後にイメージセンサ７２から蓄積電荷信号を読出し、上記画像処理を施した上で画像データとしてＣＰＵ１０１へ送出する。
【００２１】
レンズ駆動回路７３は、撮影制御回路７４から出力されるフォーカス調節信号に基づいて、撮影レンズ７１を構成するフォーカスレンズ（不図示）を光軸方向に進退駆動する。また、レンズ駆動回路７３は、撮影制御回路７４から出力されるズーム調節信号に基づいて、撮影レンズ７１を構成するズームレンズ（不図示）を光軸方向（テレ側もしくはワイド側）へ進退駆動する。フォーカス調節量およびズーム調節量は、ＣＰＵ１０１から撮影制御回路７４へ指示される。
【００２２】
（カメラのフォーカス調節）
カメラモジュール７０は、撮影レンズ７１を構成するフォーカスレンズを光軸方向にシフトすることにより、撮影レンズ７１のフォーカス調節を行う。オートフォーカス調節を行う場合のＣＰＵ１０１は、イメージセンサ７２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路７４へ送る。焦点評価値を最大にするフォーカスレンズの位置は、イメージセンサ７２によって撮像される被写体像のエッジのボケをなくし、画像のコントラストを最大にする合焦位置である。
【００２３】
（カメラのズーム調節）
カメラモジュール７０は、撮影レンズ７１を構成するズームレンズを光軸方向にシフトすることにより、撮影レンズ７１の光学ズーム調節を行う。ＣＰＵ１０１は、操作部材１０９（ズームスイッチ１１）からのズーム操作信号に応じてズーム調節信号を撮影制御回路７４へ送る。
【００２４】
（プロジェクタモジュール）
プロジェクタモジュール６０は、投影レンズ（投影光学系）６１と、液晶パネル６２と、ＬＥＤ光源６３と、投射制御回路６４と、レンズ駆動回路６５とを含む。投射制御回路６４は、ＣＰＵ１０１から出力される投影指示に応じてＬＥＤ光源６３に駆動電流を供給する。ＬＥＤ光源６３は、供給された電流に応じた明るさで液晶パネル６２を照明する。
【００２５】
投射制御回路６４はさらに、ＣＰＵ１０１から送出される画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。
【００２６】
投影レンズ６１は、液晶パネル６２から射出される光像をスクリーンなどへ向けて投影する。レンズ駆動回路６５は、投射制御回路６４から出力されるオフセット調節信号に基づいて、投影レンズ６１を光軸に対して直交する方向へ進退駆動する。また、レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。オフセット調節量、フォーカス調節量およびズーム調節量は、ＣＰＵ１０１から投射制御回路６４へ指示される。
【００２７】
（投射像のオフセット）
投影レンズ６１が光軸と直交する向きにシフトされることにより、プロジェクタモジュール６０から射出される光束の射出方向が変化し、投射像がオフセットされる。投射像のオフセットは、投影レンズ６１をシフトさせて行う他にも、液晶パネル６２、ＬＥＤ光源６３を光軸に対して垂直方向にシフトさせて行う構成としてもよい。すなわち、投影レンズ６１と液晶パネル６２の相対的位置関係を光軸に垂直な方向に変化させることで、投射像のオフセットを実現できる。
【００２８】
（投射像のキーストン補正）
投影レンズ６１、液晶パネル６２、ＬＥＤ光源６３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値を元に投影する像のデータに対するキーストン補正処理をメモリ１０２上で施し、キーストン補正処理後の画像データを投射制御回路６４へ送出する。
【００２９】
（投射像のフォーカス調節）
投影レンズ６１を構成するフォーカスレンズを光軸方向にシフトすることにより、プロジェクタモジュール６０は投射像のフォーカス調節を行う。ＣＰＵ１０１は、操作部材１０９からの操作信号に応じてフォーカス調節信号を投射制御回路６４へ送る。
【００３０】
（投射像のズーム調節）
投影レンズ６１を構成するズームレンズを光軸方向にシフトすることにより、プロジェクタモジュール６０は投射像のズーム調節を行う。ＣＰＵ１０１は、操作部材１０９からの操作信号に応じてズーム調節信号を投射制御回路６４へ送る。
【００３１】
（投影ソース：source）
プロジェクタモジュール６０は、ＣＰＵ１０１の指示により下記ソース１．〜ソース３．のいずれかによるコンテンツを投影および再生する。ＣＰＵ１０１は、操作部材１０９からソース切替え操作信号が入力されるごとに、投影画像をソース１．→２．→１．…の順に切替えるように、各画像に対応する画像データをプロジェクタモジュール６０へ送出する。
【００３２】
ソース１．メモリカード１０４から読出したデータによる再生画像
ソース２．外部インターフェイス回路１０６から入力されたデータによる再生画像
【００３３】
ＣＰＵ１０１は、上記ソース１．に対応する画像を投影する場合、記録日時が最も新しい（記録されている画像データの中で最後に撮影されたもの）画像データをメモリカード１０４から順に読出し、読出した画像データをプロジェクタモジュール６０へ送出する。また、上記コンテンツのデータとしてテキストデータが選択された場合は、テキスト画面を投影するためのデータをプロジェクタモジュール６０へ送出する。
【００３４】
≪クレードル≫
図４は、クレードル５０の回路構成を説明するブロック図である。図４において、クレードル５０には、ＣＰＵ５０１と、メモリ５０２と、操作部材５０３と、ハードディスクドライブ(HDD)５０４と、電源回路５０６と、検出スイッチ５０８と、プロジェクタインターフェース(I/F)回路５１０と、ステレオスピーカーシステム５０９と、外部インターフェイス(I/F)回路５０５とが備えられ、バッテリ５０７およびメモリカード５０８が装着されている。
【００３５】
コントローラであるＣＰＵ５０１は、制御プログラムに基づいて、クレードル５０を構成する各部から入力される信号を用いて所定の演算を行うなどして、クレードル５０の各部に対する制御信号を送出することにより、クレードル５０の動作を制御する。なお、制御プログラムはＣＰＵ５０１内の不図示の不揮発性メモリに格納されている。
【００３６】
メモリ５０２はＣＰＵ５０１の作業用メモリとして使用される。操作部材５０３は、各操作スイッチに対応する操作信号をＣＰＵ５０１へ送出する。
【００３７】
メモリカード５０８は、不揮発性メモリによって構成された記録媒体である。メモリカード５０８は、ＣＰＵ５０１からの指示によってそれぞれ個別に映像・音声データなどのデータの書き込み、保存および読み出しが可能である。
【００３８】
ハードディスクドライブ(HDD)５０４は、メモリカードに比べて大容量の記録装置である。ハードディスクドライブ(HDD)５０４は、ＣＰＵ５０１からの指示により映像・音声データなどのデータの書き込み、保存および読み出しが可能である。ハードディスクドライブ(HDD)５０４は、電子カメラ１０が投影した画像データをコピーして保存したり、電子カメラ１０が投影した画像データの履歴情報を保存したりすることも可能に構成される。
【００３９】
外部インターフェイス回路５０５は、ＣＰＵ５０１の指示によりパーソナルコンピュータ（ＰＣ）などの外部機器との間でデータを送受信する。送受信するデータは、電子カメラ１０から送信されるデータ、クレードル５０内に保存されているデータ、外部機器から送信されるデータ、および電子カメラ１０に対する制御信号などである。ステレオスピーカーシステム５０９は、ＣＰＵ５０１から出力される音声信号をステレオ再生する。ステレオスピーカー５０９は増幅回路を含み、各スピーカーの口径は電子カメラ１０側のスピーカー１１０に比べて大きく構成され、より高品位の再生が行える。
【００４０】
バッテリ５０７は充電可能な二次電池によって構成され、クレードル５０内の各部へ電力を供給する。電源回路５０６はＤＣ／ＤＣ変換回路、充電回路、および電圧検出回路を含み、バッテリ５０７の電圧をクレードル５０内の各部で必要な電圧に変換する。電源回路５０６はさらに、バッテリ５０７の電圧が低く、残容量が低下している場合には商用電源からＡＣ／ＤＣアダプタ５１０を介して供給される電流でバッテリ５０７を充電する。
【００４１】
電源回路５０６は、クレードル５０上に載置されている電子カメラ１０側へも電源供給を行うように構成されている。バッテリ５０７の容量は、電子カメラ１０側のバッテリ１０３の容量より大きく構成されており、クレードル５０に商用電源が接続されていない場合でも、バッテリ５０７の電力でクレードル５０および電子カメラ１０を駆動できる。
【００４２】
検出スイッチ５０８はクレードル５０上の機器載置部に電子カメラ１０が載置された場合にオンされ、検出信号をＣＰＵ５０１へ送出する。電子カメラ１０が機器載置部に載置されていない場合にはオフされ、検出信号は送出しない。
【００４３】
プロジェクタインターフェイス回路５１０は、ＣＰＵ５０１の指示により電子カメラ１０（外部インターフェイス回路１０６）との間でデータを送受信する。電子カメラ１０から送信されるデータは、映像・音声データなどである。電子カメラ１０へ送信するデータは電子カメラ１０に対する制御信号である。プロジェクタインターフェイス回路５１０には、電源ラインも含まれている。
【００４４】
本実施形態は、プロジェクタモジュール６０を使用する場合の動作に特徴を有するので、プロジェクタモジュール６０による投影を中心に説明する。電子カメラ１０は、プロジェクタボタン１４が押下操作されると、プロジェクタモジュール６０に投影を開始させる。投影中にプロジェクタボタン１４が押下操作されると、プロジェクタモジュール６０に投影を停止させる。電子カメラ１０は、投影に関して以下のモード制御を行う。
【００４５】
１．手持ちモード
「手持ち」モードは、ユーザーが電子カメラ１０を持ったままで電子カメラ１０に投影させることを想定した投影モードである。「手持ち」モードに設定された電子カメラ１０は、次のａ〜ｆの各設定を行う。
ａ．防振処理オン
防振処理は、電子カメラ１０の揺れに起因するプロジェクタモジュール６０による投影像の揺れを抑制する処理である。具体的には、振れ検出センサ１１１が検出した揺れをキャンセルするように、液晶パネル６２上に生成する像の位置をずらすことにより、見かけ上の投影像の揺れを抑える。電子カメラ１０は、「手持ち」モードにおいて防振処理を自動的にオンする。
【００４６】
ｂ．表示モニタオフ
電子カメラ１０は、「手持ち」モードにおいて表示モニタ１０８の表示を自動的にオフする。
ｃ．連続投影時間を短縮
電子カメラ１０は、「手持ち」モードにおいてプロジェクタモジュール６０による連続投影時間を、たとえば１０分に短縮する。１０分は一例であるので、８分でも１２分でもよいが、後述する「設置」モードの場合の連続投影時間より短くする。また、連続投影時間は、電子カメラ１０内の発熱状態を考慮して決定するとよい。
【００４７】
ｄ．自動キャリブレーションオフ
電子カメラ１０は、「手持ち」モードにおいて投影像のキャリブレーションを自動的に行う自動キャリブレーション機能を自動的にオフする。キャリブレーション機能は上述したキーストン補正やフォーカス調節を含む。
ｅ．リモコン操作信号受付禁止
電子カメラ１０が外部からのリモコン操作信号によってリモコンで操作可能に構成されている場合には、「手持ち」モードにおいてリモコン操作信号の受付を禁止する。
【００４８】
ｆ．レリーズボタン操作による撮影モード切替許可
電子カメラ１０は、「手持ち」モードにおいてレリーズボタン１２を撮影モードへのショートカットキーとして取り扱う。具体的には、投影中にレリーズボタン１２が押下操作された場合、電子カメラ１０は、プロジェクタモジュール６０に投影を終了させるとともに、カメラモジュール７０を起動させて（撮影モード）撮影準備状態にする。
【００４９】
撮影モードへ切替えられた電子カメラ１０は、プロジェクタボタン１４が押下操作されると、たとえば「投影しますか？」というメッセージを液晶モニタ１０８へ所定時間（たとえば１０秒）表示させる。電子カメラ１０はさらに、ＯＫボタン２０が押下操作されると、プロジェクタモジュール６０に投影を再開させる。
【００５０】
２．設置モード
「設置」モードは、電子カメラ１０をクレードル５０上に載置した状態で電子カメラ１０に投影させることを想定した投影モードである。「設置」モードに設定された電子カメラ１０は、次のｏ〜ｔの各設定を行う。
ｏ．防振処理オフ
電子カメラ１０は、「設置」モードにおいて防振処理を自動的にオフする。
ｐ．表示モニタオン
電子カメラ１０は、「設置」モードにおいて表示モニタ１０８の表示を自動的にオンする。
ｑ．連続投影時間の短縮を戻す
電子カメラ１０は、「手持ち」モードにおいて短縮した連続投影時間を、「設置」モードにおいて元に戻す。
【００５１】
ｒ．自動キャリブレーションオン
電子カメラ１０は、「設置」モードにおいて投影像の自動キャリブレーション機能を自動的にオンする。
ｓ．リモコン操作信号受付許可
電子カメラ１０が外部からのリモコン操作信号によってリモコン操作可能に構成されている場合には、「設置」モードにおいてリモコン操作信号の受付を許可する。
【００５２】
ｔ．レリーズボタン操作による撮影モード切替禁止
電子カメラ１０は、「設置」モードにおいてレリーズボタン１２を撮影モードへのショートカットキーとして取り扱うことを禁止する。
【００５３】
３．投影禁止モード
「投影禁止」モードは、プロジェクタボタン１４が押下操作されても投影を禁止する動作モードである。「投影禁止」モードは、プロジェクタボタン１４の長押し操作によって解除可能に構成される。「投影禁止」モードの電子カメラ１０は、プロジェクタボタン１４が長押し操作されると（５秒以上）、たとえば「投影禁止を解除しますか？」というメッセージを液晶モニタ１０８へ所定時間（たとえば１０秒）表示させる。電子カメラ１０はさらに、ＯＫボタン２０が押下操作されると、「投影禁止」モードから「設置」モードへ切替える。「設置」モードに切替わった電子カメラは、再度プロジェクタボタン１４が押下操作されると、プロジェクタモジュール６０に投影を開始させる。
【００５４】
上述したプロジェクタモジュール６０に関するモード設定について説明する。電子カメラ１０は、たとえば、図５に例示するプロジェクタモードの設定メニュー画面を液晶モニタ１０８に表示させる。図５において、「手持ち」、「設置」および「投影禁止」がそれぞれ選択可能に構成されている。
【００５５】
＜手持ちモードに関する設定＞
電子カメラ１０が「手持ち」モードを選択した場合、図６に例示する設定画面を液晶モニタ１０８に表示させる。図６において、「手持ち」モード時の選択項目（サブモード）が選択可能に構成されている。「プレゼンテーション」は、投影像に重ねてカーソルを投影表示する、または上述したレーザポインタを使用するサブモードである。カーソル表示は、液晶パネル６２上に生成する像に重ねてカーソルデータを生成することによって行う。レーザポインタは、レーザ光源部１３を発光させることによって行う。カーソル表示する場合のカーソル位置、およびレーザ光源部１３を発光させる場合の照射位置は、ダイヤル１９からの押下位置を示す信号に応じて変更可能に構成される。たとえば、上を示す押下位置信号が入力された場合はカーソル（またはポインタ）を画面の上方向へ移動させ、右を示す押下位置信号が入力された場合はカーソル（またはポインタ）を画面の右方向へ移動させる。
【００５６】
「パーティ」は、投影時に所定の演出を行うサブモードである。電子カメラ１０は、たとえば、コンテンツの投影中にフラッシュ光源部２１を発光させる。フラッシュ光源部２１の発光タイミングは、再生中の音声信号が所定レベル以上となるタイミングで発光してもよい。電子カメラ１０はさらに、投影像の彩度を通常時に比べて高く設定したり、投影輝度を通常時に比べて高く設定したりする。
【００５７】
「報時」は、あらかじめ設定されている時刻を知らせるサブモードである。電子カメラ１０は、設定時刻になると所定のコンテンツの投影を行うとともに、所定のサウンドを再生する。なお、サウンド再生せずに投影のみを行ってもよい。また、投影コンテンツに代えて、あるいは投影像に重ねて所定のテキスト情報を投影してもよい。図７は、この場合のテキスト情報を例示する図である。持ち物リストやスケジュールなどを投影することで、ユーザーに必要な情報を与えることができる。
【００５８】
「時計」は、時刻を示す投影像を投影するサブモードである。電子カメラ１０は、あらかじめ指示されている態様（アナログ表記またはディジタル表記）で時刻を知らせる。時刻の投影は、所定間隔で行う間欠投影でもよい。
【００５９】
図８は、「プレゼンテーション」に関する設定画面を例示する図である。図８において、上述したレーザポインタを照射させるか否か、カーソル表示を行うか否かが選択可能に構成されている。
【００６０】
図９は、「パーティ」に関する設定画面を例示する図である。図９において、上述したフラッシュ光源部２１を発光させるか否か、音楽再生するか否かが選択可能に構成されている。
【００６１】
図１０は、「報時」に関する設定画面を例示する図である。図１０において、報時する時刻が設定可能に構成されている。報時時刻は複数設定できる。図１１は、「ＡＭ９：００」に関して設定する内容を説明する図である。図１１において、投影するコンテンツ名（画像ファイル名）および再生するサウンドファイル名（本例では未設定）がそれぞれ設定される。画像のコンテンツは、静止画像でも動画像でもよい。
【００６２】
図１２は、「時計」に関する設定画面を例示する図である。図１２において、アナログ表記またはディジタル表記を選択可能に構成されている。図１３は、アナログ表記の場合に投影するアナログ時計のデザインが選択可能に構成されている。なお、ディジタル値で表記する場合のデザインについても、不図示の選択画面において選択可能に構成される。
【００６３】
＜設置モードに関する設定＞
電子カメラ１０が「設置」モードを選択した場合、図１４に例示する設定画面を液晶モニタ１０８に表示させる。図１４において、「設置」モード時の選択項目（サブモード）として「プレゼンテーション」、「パーティ」、「報時」、「時計」、および「スリーピング」が選択可能に構成されている。
【００６４】
「設置」モードでは、「手持ち」モードに比べてサブモードとして「スリーピング」モードが追加される。「スリーピング」を除く「プレゼンテーション」、「パーティ」、「報時」、および「時計」については「設置」モードの場合と同様なので説明を省略する。
【００６５】
「スリーピング」は、いわゆるスリープタイマーをかけて投影するサブモードである。電子カメラ１０は、あらかじめ指示されている再生コンテンツを投影し、当該再生コンテンツの投影を終了すると、自動的にプロジェクタモジュール６０による投影を終了する（シャットダウン）。スリーピングモードでは、投影像の彩度を通常時に比べて低く設定したり、投影輝度を通常時に比べて低く設定したりする。
【００６６】
図１５は、「スリーピング」に関する設定画面を例示する図である。図１５において、「輝度」は、投影輝度を指示するためのメニューである。「輝度」が選ばれた場合の電子カメラ１０は、図１６に例示する輝度設定画面を液晶モニタ１０８に表示させる。電子カメラ１０は、輝度変更操作に応じて液晶モニタ１０８に表示する三角帯表示の長さを変化させる。
【００６７】
「音量」は、再生音量を指示するためのメニューである。「音量」が選ばれた場合の電子カメラ１０は、図１６の場合と同様の音量設定画面（不図示）を液晶モニタ１０８に表示させる。電子カメラ１０は、音量変更操作に応じて不図示の音量表示を変化させる。
【００６８】
「再生時間」は、投影時間を指示するためのメニューである。「再生時間」が選ばれた場合の電子カメラ１０は、図１７に例示する再生時間設定画面を液晶モニタ１０８に表示させる。電子カメラ１０は、再生時間変更操作に応じて液晶モニタ１０８に表示する三角帯表示の長さを変化させる。電子カメラ１０は、後述する「再生ファイル」として選択されたコンテンツの再生時間、および本メニューにおいて指示された再生時間のうち短い方が経過すると、プロジェクタモジュール６０による投影を終了してシャットダウンを行う。
【００６９】
「再生ファイル」は、投影するコンテンツ名（画像ファイル名）を指示するためのメニューである。「再生ファイル」が選ばれた場合の電子カメラ１０は、図１１の場合と同様の設定画面を液晶モニタ１０８に表示させる。画像のコンテンツは、静止画像でも動画像でもよい。
【００７０】
以上の設定内容は、メニューボタン１７が押下操作されると確定し、ＣＰＵ１０１内の不図示の不揮発性メモリに格納される。電子カメラ１０は、プロジェクタボタン１４が押下操作されると、上記設定内容に基づいてプロジェクタモジュール６０に投影を開始させる。
【００７１】
なお、スリーピングモードの設定を行ってプロジェクタモジュール６０に投影を開始させた後、次の場合にはスリーピングモードを解除するように構成されている。電子カメラ１０は、プロジェクタボタン１４が長押し操作されると（５秒以上）、たとえば「スリーピングモードを解除しました」というメッセージを所定時間投影像に重ねて投影表示させて、スリーピングモードを解除する。
【００７２】
以上説明した実施形態によれば、次の作用効果が得られる。
（１）手持ち投影モードと設置投影モードとを切替え可能に構成したので、電子カメラ１０を手で持ちながら投影する場合に適したモードと電子カメラ１０を載置して投影する場合に適したモードとを使い分けることができる。
【００７３】
（２）意図しない発光を防ぐ投影禁止モードにも切替え可能に構成したので、投影光を射出させたくない場合にも対応できる。
【００７４】
（３）手持ち投影モードでは、上記ａ〜ｆの設定をそれぞれまとめて行うので、個別に設定する場合より使いやすい。とくに、設定内容が多岐にわたる場合に有効である。制御パラメータは防振処理オンおよび自動キャリブレーションオフを含むので、手持ち投影に適したパラメータ設定を自動的に行うことができる。また、表示モニタオフ、リモコン操作信号受付禁止、レリーズボタン操作による撮影モード切替を許可するので、手持ち投影に適した設定を自動的に行うことができる。
【００７５】
（４）設置投影モードでは、上記ｏ〜ｔの設定を行うので、個別に設定する場合より使いやすい。とくに、設定内容が多岐にわたる場合に有効である。制御パラメータは防振処理オフおよび自動キャリブレーションオンを含むので、設置投影に適したパラメータ設定を自動的に行うことができる。また、表示モニタオン、リモコン操作信号受付許可、レリーズボタン操作による撮影モード切替を禁止するので、設置投影に適した設定を自動的に行うことができる。
【００７６】
（５）手持ち投影モードおよび設置投影モードのそれぞれに「プレゼンテーション」、「パーティ」、「報時」および「時計」のサブモードを設けたので、手持ち投影モードおよび設置投影モードにおいて個別に設定する場合より使いやすい。なお、各投影モードにおけるサブモードの設定内容は、各投影モードごとにＣＰＵ１０１内の不揮発性メモリに格納される。
【００７７】
以上の説明はあくまで一例であり、上記の実施形態の構成に何ら限定されるものではない。
【図面の簡単な説明】
【００７８】
【図１】本発明の一実施の形態によるプロジェクタ付き電子カメラの正面図である。
【図２】図１の電子カメラの背面図である。
【図３】電子カメラの回路構成を説明するブロック図である。
【図４】クレードルの回路構成を説明するブロック図である。
【図５】設定メニュー画面を例示する図である。
【図６】設定メニュー画面を例示する図である。
【図７】テキスト情報を例示する図である。
【図８】設定メニュー画面を例示する図である。
【図９】設定メニュー画面を例示する図である。
【図１０】設定メニュー画面を例示する図である。
【図１１】設定メニュー画面を例示する図である。
【図１２】設定メニュー画面を例示する図である。
【図１３】設定メニュー画面を例示する図である。
【図１４】設定メニュー画面を例示する図である。
【図１５】設定メニュー画面を例示する図である。
【図１６】設定メニュー画面を例示する図である。
【図１７】設定メニュー画面を例示する図である。
【符号の説明】
【００７９】
１０…電子カメラ
６０…プロジェクタモジュール
７０…カメラモジュール７０
１０１…ＣＰＵ
１０３…バッテリ
１０７…電源回路
１０８…表示モニタ
【図１】
2008252480.tif 000003
【図２】
2008252480.tif 000004
【図３】
2008252480.tif 000005
【図４】
2008252480.tif 000006
【図５】
2008252480.tif 000007
【図６】
2008252480.tif 000008
【図７】
2008252480.tif 000009
【図８】
2008252480.tif 000010
【図９】
2008252480.tif 000011
【図１０】
2008252480.tif 000012
【図１１】
2008252480.tif 000013
【図１２】
2008252480.tif 000014
【図１３】
2008252480.tif 000015
【図１４】
2008252480.tif 000016
【図１５】
2008252480.tif 000017
【図１６】
2008252480.tif 000018
【図１７】
2008252480.tif 000019